(57)【要約】      （修正有）【課題】パーソナルコンピュータを利用して、効率よく高い宣伝効果が得られるようにする。【解決手段】表面に広告表示部を有し、裏面に貼付部を有する広告用シール１０であって、貼付部を、パーソナルコンピュータ２０における表示面２１の周辺部２１Ａ、キー操作面２２の周辺部２２Ａ、及びマウス操作面２３の周辺部２３Ａの少なくとも一部に貼付可能な形状とした。【選択図】図２
0003132674.tif 000002
【実用新案登録請求の範囲】
【請求項１】
表面に広告表示部を有し、裏面に貼付部を有する広告用シールであって、
前記貼付部を、パーソナルコンピュータの表示面周辺部、キー操作面周辺部、及びマウス操作面周辺部の少なくとも一部に貼付可能な形状としたことを特徴とする広告用シール。
【考案の詳細な説明】
【技術分野】
【０００１】
本考案は、表面に広告表示部を有し、裏面に貼付部を有する広告用シールに関するものである。
【背景技術】
【０００２】
近年におけるパーソナルコンピュータの普及に伴い、パーソナルコンピュータを利用した広告宣伝方法が種々提案されている。
特許文献１では、パーソナルコンピュータにインストールされるソフトウェアの少なくとも一部に広告プログラムを組み込むことで、ソフトウェアのプログラム実行時に広告プログラムが再生されるようにした広告宣伝方法が提案されている。
【特許文献１】特開２００１−１４２９８５号公報
【考案の開示】
【考案が解決しようとする課題】
【０００３】
しかしながら、上述した特許文献１に記載の広告宣伝方法においては、広告プログラムをソフトウェアの一部に組み込む必要があり、広告宣伝の準備に要する作業性が良好ではないという不具合があった。
【０００４】
また、上述した特許文献１に記載の広告宣伝方法においては、ソフトウェアのプログラム実行時に広告プログラムが再生されることからソフトウェアの立ち上げ時に時間がかかり、使用者の心的ストレスが溜まるという不具合や、使用者が該当するソフトウェアを実行しない限り、その広告を見ることがないという不具合もあった。
【０００５】
すなわち、上述した特許文献１に記載の広告宣伝方法においては、効率よく高い宣伝効果を得るという点で更なる改善の余地があった。
【０００６】
そこで、本考案は、上記不具合を解消するためになされたものであり、パーソナルコンピュータを利用して、効率よく高い宣伝効果を得ることを課題としている。
【課題を解決するための手段】
【０００７】
このような課題を解決するために、本考案は、表面に広告表示部を有し、裏面に貼付部を有する広告用シールであって、前記貼付部を、パーソナルコンピュータの表示面周辺部、キー操作面周辺部、及びマウス操作面周辺部の少なくとも一部に貼付可能な形状としたことを特徴とする広告用シールを提供する。
【０００８】
本案によれば、広告用シールの貼付部を、パーソナルコンピュータの操作機能に影響を与えない所定位置（つまり、表示面周辺部、キー操作面周辺部、及びマウス操作面周辺部の少なくとも一部）に貼付可能な形状としたことにより、この広告用シールをパーソナルコンピュータの所定位置に貼り付けることで、使用者がパーソナルコンピュータを使用する際に、広告用シールの広告表示部が常に目視可能な状態となる。
【０００９】
よって、上述した特許文献１に記載のように、ソフトウェアに広告プログラムを組み込む作業が不要で、且つ、使用者がパーソナルコンピュータを使用する際に心的ストレスを感じることなく、また、使用者がそのソフトウェアの使用状態に係らず常に広告が目視可能となるため、効率よく高い宣伝効果を得ることができる。
【考案の効果】
【００１０】
本考案に係る広告用シールによれば、パーソナルコンピュータを利用して、効率よく高い宣伝効果を得ることができる。
【考案を実施するための最良の形態】
【００１１】
以下、本考案に係る実施形態について図面を参照しながら説明する。
【００１２】
図１は、本考案に係る広告用シールの一例を示し、（ａ）は平面図、（ｂ）は側面図である。図２は、本考案に係る広告用シールの一使用例として、ノート型のパーソナルコンピュータに貼り付けた状態を示す斜視図である。
【００１３】
この広告用シール１０は、図１に示すように、表面に広告表示部１を有し、その裏面全体に貼付部２を有する構成となっており、貼付部２はその全面が剥離紙3で覆われている。
【００１４】
広告表示部１には、広告提供者の名称、連絡先（電話番号、ＦＡＸ番号、ホームページアドレス等）、商品名、サービスの紹介文等の広告が表示されている。
貼付部２は、ノート型のパーソナルコンピュータにおいて表示面周辺部に貼付可能な四角形状（例えば、縦１．５ｃｍ×横４．０ｃｍ）で、その表示面周辺枠に貼付可能な接着素材からなる。
【００１５】
この広告用シール１０は、図２（ａ）に示すように、ノート型のパーソナルコンピュータ２０に貼り付ける直前に剥離紙３を外し、その貼付部２をパーソナルコンピュータ２０における表示面２１の周辺部２１Ａに貼り付けて使用する。
【００１６】
ここで、広告用シール１０の貼り付けは、広告表示部１に広告を表示した広告提供者や、この広告提供者から広告表示の印刷を請け負ったシール製造業者等からの依頼を受けて、パーソナルコンピュータ２０取得時あるいは取得後に使用者が自らの意思で行うことが好ましい。
【００１７】
また、広告用シール１０の貼り付けについて、広告表示部１に広告を表示した広告提供者や、この広告提供者から広告表示の印刷を請け負ったシール製造業者等により、使用者がパーソナルコンピュータ２０を取得する前段階で行う態様も考えられる。
【００１８】
すなわち、本実施形態によれば、広告用シール１０の貼付部２を、パーソナルコンピュータ２０の表示面２１の周辺部２１Ａに貼付可能な形状とし、この広告用シール１０をパーソナルコンピュータ２０の表示面２１の周辺部２１Ａに貼り付けて使用するようにしたことにより、使用者がパーソナルコンピュータ２０を使用する際に、広告表示部１が常に目視可能な状態となる。
【００１９】
よって、上述した特許文献１に記載のように、広告提供者がソフトウェアに広告プログラムを組み込む作業が不要で、且つ、使用者がコンピュータを使用する際に心的ストレスを感じることなく、また、使用者がそのソフトウェアの使用状態に係らず常に広告表示部１が目視可能となるため、効率よく高い宣伝効果を得ることができる。
【００２０】
なお、本実施形態においては、広告用シール１０の貼付部２を四角形とした場合について説明したが、ノート型のパーソナルコンピュータ２０において表示面２１の周辺部２１Ａに貼付可能な形状であればこれに限らず、広告用シール１０を円形や三角形等のその他の形状で構成してもよい。
【００２１】
また、本実施形態においては、広告用シール１０をパーソナルコンピュータ２０における表示面２１の周辺部２１Ａに貼り付ける場合について説明したが、広告用シール１０の貼り付け位置はコンピュータの機能操作に影響を及ぼさない場所であればこれに限らない。
【００２２】
例えば、広告用シール１０の貼付部２を、パーソナルコンピュータ２０における表示面２１の周辺部２１Ａをなす枠体に合わせて略ロ字状に形成し、表示面２１を囲むように周辺部２１Ａをなす枠体全面に広告用シール１０を貼り付ける構成としてもよい。また、図２（ｂ）に示すように、広告用シール１０の貼付部２を、ノート型パーソナルコンピュータ２０におけるキー操作面２２の周辺部２２Ａやマウス操作面２３の周辺部２３Ａの少なくとも一部に貼り付け可能な形状としてもよい。
【００２３】
さらに、本実施形態においては、広告用シール１０をノート型のパーソナルコンピュータ２０に貼り付けた場合について説明したが、これに限らず、デスクトップ型のパーソナルコンピュータに貼り付けても構わない。
【００２４】
さらに、本実施形態においては、広告用シール１０の貼付部２を広告表示部１の裏面全体に設けて、広告用シール１０の全体をパーソナルコンピュータ２０に貼り付けた場合について説明したが、貼付部２の形成位置はこれに限らず、広告表示部１の裏面の一部に設けてもよい。このような構成にすれば、広告用シール１０をパーソナルコンピュータ２０に着脱する際の作業効率や、広告表示部１におけるレイアウトの自由度を向上させることが可能となるため、より効率よく、より高い宣伝効果を得ることができる。
【図面の簡単な説明】
【００２５】
【図１】本考案に係る広告用シールの一例を示し、（ａ）は平面図、（ｂ）は側面図である。
【図２】本考案に係る広告用シールの使用例を示す斜視図である。
【符号の説明】
【００２６】
１    広告表示部
２    貼付部
３    剥離紙
１０    広告用シール
２０    パーソナルコンピュータ
２１Ａ  表示面の周辺部
２２Ａ  キー操作面の周辺部
２３Ａ  マウス操作面の周辺部
【図１】
0003132674.tif 000003
【図２】
0003132674.tif 000004
【手続補正書】
【提出日】平成19年1月29日(2007.1.29)
【手続補正１】
【補正対象書類名】実用新案登録請求の範囲
【補正対象項目名】請求項１
【補正方法】変更
【補正の内容】
【請求項１】
表面に広告表示部を有し、裏面に貼付部を有する広告用シールであって、前記貼付部を、パーソナルコンピュータの表示面周辺部、キー操作面周辺部、及びマウス操作面周辺部の少なくとも一部に貼付可能な大きさとしたことを特徴とする広告用シール。